(57)【要約】【課題】本発明は、ダイエット管理システム及び方法を提供する。【解決手段】ダイエット管理を受けるユーザーの個人情報データを受信し、ユーザーを身体類型別で分類し、ユーザーの身体類型分類によるダイエット目標、生活様式分析結果及び状態診断データによってユーザー別カスタマイズソリューションを提供し、ユーザーの現在状況を受信し、それに当たる変更されたカスタマイズソリューションを提供する。本発明によれば、ダイエット実施者の一人一人の特性に合う体系的なダイエット管理がなり、ダイエット実施者の現在状態を反映して変更されたソリューションを適時に提供することができる。【選択図】図３
2014533401.tif 000002
【特許請求の範囲】
【請求項１】
データベース、ダイエット管理サーバー、情報入力端末及びユーザー端末を含むダイエット管理システムであって、
前記サーバーから受信するユーザーの状態診断データ及び生活様式データを含む個人情報データ並びにソリューションデータを格納するデータベース；
前記データベース、情報入力端末及びユーザー端末と通信可能になるように連結され、データを送受信することができるデータ送受信部と、前記データ送受信部で受信する前記状態診断データを用いて、肥満段階及び体型によって前記ユーザーを身体類型別で分類して身体類型分類データを生成する身体類型分類演算部と、前記データ送受信部で受信する前記生活様式データによって、前記ユーザーの生活様式分析結果を生成する生活様式分析部と、前記身体類型分類データによる前記ユーザーのダイエット目標に合うように、前記生活様式分析結果又は前記ユーザーの現在状況と前記状態診断データによって、前記ソリューションデータＤＢを用いてユーザー別カスタマイズソリューションを生成、又は変更するソリューション生成部と、前記データ送受信部を通じて前記ユーザー端末から前記ユーザーの現在状況を受信して、前記データ送受信部を通じて前記ユーザーの現在状況に合うように、変更されたカスタマイズソリューションを前記ユーザー端末へ送信する個人化サービス提供部と、を含むダイエット管理サーバー；
前記ダイエット管理サーバーと通信可能になるように連結され、前記ユーザーの前記個人情報データが入力される情報入力端末；及び
前記ダイエット管理サーバーと通信可能になるように連結され、前記ユーザーから前記ユーザーの現在状態が入力されて前記変更されたカスタマイズソリューションを出力可能なユーザー端末を含むことを特徴とするダイエット管理システム。
【請求項２】
前記データベースは、
前記ユーザーを肥満段階及び体型によって分類した身体類型分類データをさらに含むことを特徴とする、請求項1に記載のダイエット管理システム。
【請求項３】
前記ダイエット管理サーバー、前記情報入力端末及び前記ユーザー端末と通信可能になるように連結されるウェブサーバーをさらに含むことを特徴とする、請求項1に記載のダイエット管理システム。
【請求項４】
前記ウェブサーバーは、
前記情報入力端末から前記個人情報データを受信し、前記受信する個人情報データを前記ダイエット管理サーバーの前記データ送受信部へ送信し、
前記ユーザー端末から前記ユーザーの現在状態を受信し、前記受信した前記ユーザーの現在状態を前記ダイエット管理サーバーの前記データ送受信部へ送信し、前記ダイエット管理サーバーの前記データ送受信部から前記変更されたカスタマイズソリューションを受信し、前記受信した変更されたカスタマイズソリューションを前記ユーザー端末へ送信することを特徴とする、請求項３に記載のダイエット管理システム。
【請求項５】
前記情報入力端末と前記ユーザー端末とは、同一端末であることを特徴とする、請求項1に記載のダイエット管理システム。
【請求項６】
前記診断データは、前記ユーザーのＢＭＩ、３次元体型分析結果及び皮膚診断結果を含むことを特徴とする、請求項1に記載のダイエット管理システム。
【請求項７】
前記身体類型分類演算部は、身体類型分類するときには、
前記肥満段階を前記ＢＭＩによって分類し、前記体型を前記３次元体型分析結果によって分類することを特徴とする、請求項６に記載のダイエット管理システム。
【請求項８】
前記身体類型分類演算部は、
前記ＢＭＩによって前記肥満段階を分類するときには、ＢＭＩ２５以上の第１段階、ＢＭＩ２０以上２５未満の第２段階、ＢＭＩ１８以上２０未満の第３段階及びＢＭＩ１８未満の第４段階で分類し、
前記体型分類するときには、前記ユーザーの３次元体型分析結果によって上体肥満型、腹部肥満型、下体肥満型で分類することを特徴とする、請求項７に記載のダイエット管理システム。
【請求項９】
前記ダイエット目標は、
前記ユーザーの前記肥満段階が,
前記第１段階及び第２段階の場合には、体重減量であり；
前記第３段階の場合には、体成分管理であり；
前記第４段階の場合には、体型管理；であることを特徴とする、請求項８に記載のダイエット管理システム。
【請求項１０】
前記生活様式分析部は、
前記生活様式データを分析して前記ユーザーの生活習慣を分析し、
前記ユーザーのダイエットの動機及びダイエットの邪魔要素を分析することを特徴とする、 請求項１に記載のダイエット管理システム。
【請求項１１】
前記ソリューション生成部は、
食餌、製品、運動、マッサージ、機器項目のうちのいずれか１つ以上の項目を含むユーザー別カスタマイズソリューションを提供することを特徴とする、請求項１に記載のダイエット管理システム。
【請求項１２】
前記ソリューション生成部は、
生活様式データＤＢを検索して前記生活様式分析結果と類似の生活様式を有する他のユーザーの生活様式データを獲得した後、前記他のユーザーの生活様式データに含まれた他のユーザーのカスタマイズソリューションを参照してカスタマイズソリューションを生成することを特徴とする、請求項１に記載のダイエット管理システム。
【請求項１３】
ダイエット管理サーバー、前記ダイエット管理サーバーと連結されて前記サーバーから受信するユーザーの状態診断データ及び生活様式データを含む個人情報データ並びにソリューションデータを格納するデータベース、前記ダイエット管理サーバーと通信可能になるように連結され、前記個人情報データが入力される情報入力端末及び前記ダイエット管理サーバーと通信可能になるように連結され前記ユーザーから前記ユーザーの現在状態が入力されて前記変更されたカスタマイズソリューションを出力可能なユーザー端末を含むダイエット管理システムにおけるダイエット管理方法であって、
（ａ）前記ダイエット管理サーバーのデータ送受信部で前記状態診断データＤＢから受信した前記状態診断データを用いて、肥満段階及び体型によって前記ユーザーを身体類型別で分類して身体類型分類データを生成し、前記生成された身体類型分類データを前記データベースの身体類型分類データＤＢに格納する段階；
（ｂ）前記ダイエット管理サーバーのデータ送受信部で前記生活様式データＤＢから受信した前記ユーザーの前記生活様式データによって、前記ユーザーの生活様式分析結果を生成する段階；
（ｃ）前記ダイエット管理サーバーで前記身体類型分類データによる前記ユーザーのダイエット目標に合うように前記生活様式分析結果と前記状態診断データによって、前記格納されたソリューションデータＤＢを用いてユーザー別カスタマイズソリューションを生成する段階；
（ｄ）前記ダイエット管理サーバーの前記データ送受信部を通じて前記ユーザー端末から前記ユーザーの現在状況を受信し、前記ユーザーの現在状況にカスタマイズソリューションを変更した後、前記データ送受信部を通じて前記ユーザーの現在状況に合うように変更されたカスタマイズソリューションを前記ユーザー端末へ送信する段階；
を含むことを特徴とするダイエット管理方法。
【請求項１４】
前記ダイエット管理システムは前記ダイエット管理サーバー、前記情報入力端末及び前記ユーザー端末と通信可能になるように連結されるウェブサーバーをさらに含み、
前記(ｅ)段階は、
前記ウェブサーバーで前記ユーザー端末から前記ユーザーの現在状態を受信し、前記受信した前記ユーザーの現在状態を前記ダイエット管理サーバーの前記データ送受信部へ送信する段階、及び
前記ウェブサーバーで前記ダイエット管理サーバーの前記データ送受信部から前記変更されたカスタマイズソリューションを受信し、前記受信した変更されたカスタマイズソリューションを前記ユーザー端末へ送信する段階を含むことを特徴とする、請求項１３に記載のダイエット管理方法。
【請求項１５】
前記情報入力端末と前記ユーザー端末とは、同一端末であることを特徴とする、請求項１３に記載のダイエット管理方法。
【請求項１６】
前記診断データは、前記ユーザーのＢＭＩ、３次元体型分析結果及び皮膚診断結果を含むことを特徴とする、請求項１３に記載のダイエット管理方法。
【請求項１７】
前記（ａ）段階は、
(ａ−１)前記肥満段階を前記ＢＭＩによって分類する段階；及び
(ａ−２)前記体型を前記３次元体型分析結果によって分類する段階を含むことを特徴とする、 請求項１６に記載のダイエット管理方法。
【請求項１８】
前記(ａ−１)段階は、
ＢＭＩ２５以上の第１段階、ＢＭＩ２０以上２５未満の第２段階、ＢＭＩ１８以上２０未満の第３段階及びＢＭＩ１８未満の第４段階で分類する段階を含み、
前記(ａ−２)段階は、
前記ユーザーの３次元体型分析結果によって上体肥満型、腹部肥満型、下体肥満型で分類する段階を含むことを特徴とする、請求項１７に記載のダイエット管理方法。
【請求項１９】
前記ダイエット目標は、
前記ユーザーの前記肥満段階が、
前記第１段階及び第２段階の場合には、体重減量であり；
前記第３段階の場合には、体成分管理であり；
前記第４段階の場合には、体型管理；であることを特徴とする、請求項１８に記載のダイエット管理方法。
【請求項２０】
前記（ｂ）段階は、
前記生活様式データを分析して前記ユーザーの生活習慣を分析する段階；及び
前記ユーザーのダイエットの動機及びダイエットの邪魔要素を分析する段階を含むことを特徴とする、請求項１３に記載のダイエット管理方法。
【請求項２１】
前記(ｃ)段階は、
食餌、製品、運動、マッサージ、機器項目のうちのいずれか１つ以上の項目を含むユーザー別カスタマイズソリューションを提供する段階を含むことを特徴とする、 請求項１３に記載のダイエット管理方法。
【請求項２２】
前記(ｄ)段階は、
前記生活様式データＤＢを検索して前記生活様式分析結果と類似の生活様式を有する他のユーザーの生活様式データを獲得する段階；及び
前記他のユーザーの生活様式データに含まれた他のユーザーのカスタマイズソリューションを参照してカスタマイズソリューションを生成する段階；
を含むことを特徴とする、請求項１３に記載のダイエット管理方法。
【請求項２３】
情報入力端末、ユーザー端末及びデータベースと連結されるダイエット管理サーバーでのダイエット管理方法であって、
（ａ）前記ダイエット管理サーバーのデータ送受信部でデータベースから受信した状態診断データを用いて、肥満段階及び体型によってユーザーを身体類型別で分類して身体類型分類データを生成し、前記生成された身体類型分類データを前記データベースに格納する段階；
（ｂ）前記ダイエット管理サーバーのデータ送受信部でデータベースから受信した前記ユーザーの生活様式データによって、前記ユーザーの生活様式分析結果を生成する段階；
（ｃ）前記ダイエット管理サーバーで前記身体類型分類データによる前記ユーザーのダイエット目標に合うように前記生活様式分析結果と前記状態診断データによって前記格納されたソリューションデータＤＢを用いてユーザー別カスタマイズソリューションを生成する段階；
（ｄ）前記ダイエット管理サーバーの前記データ送受信部を通じて前記ユーザー端末から前記ユーザーの現在状況を受信し、前記ユーザーの現在状況にカスタマイズソリューションを変更した後、前記データ送受信部を通じて前記ユーザーの現在状況に合うように変更されたカスタマイズソリューションを前記ユーザー端末へ送信する段階；を含むことを特徴とするダイエット管理方法。
【発明の詳細な説明】
【技術分野】
【０００１】
本発明は、ダイエット管理システム及び方法に関する。より具体的には、ダイエット管理を受けるユーザーの個人情報データを受信し、ユーザーを身体類型別で分類し、ユーザーの身体類型分類によるダイエット目標、生活様式分析結果及び状態診断データによってユーザー別カスタマイズソリューション（customized solution）を提供し、ユーザーの現在状況を受信し、それに当たる変更されたカスタマイズソリューションを提供するシステム及び方法に関する。
【背景技術】
【０００２】
現代社会が徐々に西欧化及び産業化されるにつれて、過体重または肥満人口が増加している。過体重や肥満は成人病など各種疾患の原因になるので、多くの人々が過体重や肥満を解決するためにダイエットを行っている。また、最近にはウェルビーイング（Ｗｅｌｌｂｅｉｎｇ）を追求する傾向が高くなり、美しさに対する欲求が増加することによって、ダイエットが単純な健康のための過体重や肥満解決方法ではない快適なライフのための方法としても脚光を浴びている趨勢である。
【０００３】
それによってダイエット方法も多様に開発されている。しかし、一人でダイエットをする場合、中途にあきらめたり効果的なダイエットを実施しにくいので、多くの人々がダイエット専門サイトに加入したり、ダイエット管理プログラムを運営する施設に登録して、専門サイトまたは施設で提供される各種勧奨メニュー、勧奨運動、または勧奨薬品を活用しつつある。
【０００４】
しかし、ダイエット実施者の一人一人の特性が異なるにも拘らず、現在ダイエット専門サイトやダイエット管理プログラムを運営する施設で提供されるダイエット管理システムは、多数のユーザーに合わせた画一的な情報及びプログラムを提供して効果的なダイエットがならない場合が多い。また、カスタマイズ別ダイエットプログラムといってもその内容が体系的ではなく、或いは不実な場合が多いという問題点がある。
【０００５】
また、効果的なダイエットのためには、ソリューション提案以後にも、ダイエット実施者の現在状態を反映して、変更されたソリューションが適時に提供される必要性があるが、このような変更されたソリューションの提供が適時にならないという問題点がある。
【発明の概要】
【発明が解決しようとする課題】
【０００６】
本発明は、前記のような問題点を解決するために、ダイエット管理を受けるユーザーの個人情報データを受信し、ユーザーを身体類型別で分類し、ユーザーの身体類型分類によるダイエット目標、生活様式分析結果及び状態診断データによってユーザー別カスタマイズソリューションを提供し、ユーザーの現在状況を受信し、それに当たる変更されたカスタマイズソリューションを提供することを目的とする。
【課題を解決するための手段】
【０００７】
前記技術的課題を達成するために、本発明の一実施形態によるダイエット管理システムは、データベース、ダイエット管理サーバー、情報入力端末及びユーザー端末を含むダイエット管理システムであって、
前記サーバーから受信するユーザーの状態診断データ及び生活様式データを含む個人情報データ並びにソリューションデータを格納するデータベース；
前記データベース、情報入力端末及びユーザー端末と通信可能になるように連結され、データを送受信することができるデータ送受信部と、前記データ送受信部で受信する前記状態診断データを用いて、肥満段階及び体型によって前記ユーザーを身体類型別で分類して身体類型分類データを生成する身体類型分類演算部と、前記データ送受信部で受信する前記生活様式データによって、前記ユーザーの生活様式分析結果を生成する生活様式分析部と、前記身体類型分類データによる前記ユーザーのダイエット目標に合うように、前記生活様式分析結果または前記ユーザーの現在状況と前記状態診断データによって、前記ソリューションデータＤＢを用いてユーザー別カスタマイズソリューションを生成、または変更するソリューション生成部と、前記データ送受信部を通じて前記ユーザー端末から前記ユーザーの現在状況を受信して、前記データ送受信部を通じて前記ユーザーの現在状況に合うように変更されたカスタマイズソリューションを前記ユーザー端末へ送信する個人化サービス提供部と、を含むダイエット管理サーバー；
前記ダイエット管理サーバーと通信可能になるように連結され、前記ユーザーの前記個人情報データが入力される情報入力端末；及び
前記ダイエット管理サーバーと通信可能になるように連結され、前記ユーザーから前記ユーザーの現在状態が入力されて、前記変更されたカスタマイズソリューションが出力可能なユーザー端末を含むことを特徴とする。
【０００８】
本発明の他の実施形態によるダイエット管理方法は、ダイエット管理サーバー、前記ダイエット管理サーバーと連結されて前記サーバーから受信するユーザーの状態診断データ及び生活様式データを含む個人情報データ並びにソリューションデータを格納するデータベース、前記ダイエット管理サーバーと通信可能になるように連結され、前記個人情報データが入力される情報入力端末、及び前記ダイエット管理サーバーと通信可能になるように連結されて前記ユーザーから現在状態が入力されて前記変更されたカスタマイズソリューションが出力可能なユーザー端末を含むダイエット管理システムにおけるダイエット管理方法であって、
(ａ)前記ダイエット管理サーバーのデータ送受信部で前記状態診断データＤＢから受信した前記状態診断データを用いて、肥満段階及び体型によって前記ユーザーを身体類型別で分類して身体類型分類データを生成し、前記生成された身体類型分類データを前記データベースの身体類型分類データＤＢに格納する段階；
（ｂ）前記ダイエット管理サーバーのデータ送受信部で前記生活様式データＤＢから受信した前記ユーザーの前記生活様式データによって、前記ユーザーの生活様式分析結果を生成する段階；
（ｃ）前記ダイエット管理サーバーで前記身体類型分類データによる前記ユーザーのダイエット目標に合うように前記生活様式分析結果と前記状態診断データによって、前記格納されたソリューションデータＤＢを用いてユーザー別カスタマイズソリューションを生成する段階；
（ｄ）前記ダイエット管理サーバーの前記データ送受信部を通じて前記ユーザー端末から前記ユーザーの現在状況を受信し、前記ユーザーの現在状況にカスタマイズソリューションを変更した後、前記データ送受信部を通じて前記ユーザーの現在状況に合うように変更されたカスタマイズソリューションを前記ユーザー端末へ送信する段階；を含むことを特徴とする。
【発明の効果】
【０００９】
本発明によれば、ダイエット実施者の一人一人の特性に合う体系的なダイエット管理がなされ、ダイエット実施者の現在状態を反映して、変更されたソリューションを適時に提供することができる。
【図面の簡単な説明】
【００１０】
【図１】本発明の一実施形態によるダイエット管理システムの概路図である。
【図２】本発明の一実施形態によるダイエット管理システムを構成するダイエット管理サーバー及びデータベースの概路図である。
【図３】本発明の一実施形態によるダイエット管理システムでダイエット管理サーバー１００が作動するフローチャートである。
【図４】本発明の一実施形態による身体類型分類基準を示した表である。
【図５】図３に示した段階３２０の詳細フローチャートである。
【図６】図３に示した段階３４０の詳細フローチャートである。
【図７】本発明の一実施形態によるカスタマイズソリューションを示した概路図である。
【発明を実施するための形態】
【００１１】
本発明においてユーザーとは、ダイエットを実施する者で、本発明の実施形態によるダイエット管理システムで提供するダイエットプログラムを用いる者を意味する。
【００１２】
本発明においてサービス提供者とは、本発明の実施形態によるダイエット管理システムを用いてダイエットプログラムをユーザーに提供する者を意味する。
【００１３】
以下、本発明による好ましい実施形態を添付した図面を参照して、詳しく説明する。以下の説明では、本発明の実施形態による作動を理解するのに必要な部分だけを説明する。また、それ以外、本発明の要旨を不明瞭にする部分の説明は省略することを留意すべきである。
【００１４】
後述する本明細書及び請求範囲に用いられた用語や単語は、通常的や辞書的な意味に限定して解釈されてはならず、発明者はその自分の発明を最善の方法で説明するために用語の概念で適切に定義することができるという原則に即して、本発明の技術的思想に符合する意味と概念に解釈されなければならない。従って、本明細書に記載した実施形態及び図面に示した構成は本発明の最も好ましい一実施形態に過ぎず、本発明の技術的思想を全部代弁するものではないので、本出願時点において、これらを取り替えることができる多様な均等物と変形形態があり得ることを理解しなければならない。
【００１５】
図１は、本発明の一実施形態によるダイエット管理システムを概略的に示した図面である。
【００１６】
図１に示したように、本発明の一実施形態によるダイエット管理システムは、ユーザー端末１０、情報端末２０、ダイエット管理サーバー１００及びデータベース２００から構成されることができる。
【００１７】
ユーザー端末１０は、ダイエット実施者（以下、「ユーザー」と言う。）から、ユーザーの現在状態が入力されてダイエット管理サーバー１００へ送信し、ダイエット管理サーバー１００から変更されたカスタマイズソリューションを受信して、変更されたカスタマイズソリューションを出力してユーザーに表示することができる。
【００１８】
情報端末２０は、本発明の実施形態によるダイエット管理システムを用いてダイエットプログラムを提供する者（以下、「サービス提供者」と言う。）またはユーザーから、ユーザーの個人情報データが入力されてダイエット管理サーバー１００へ送信することができる。
【００１９】
本発明の一実施形態によれば、サービス提供者は、ダイエットセンター、市販、訪問販売またはオンライン上でユーザーと接触するようになる。サービス提供者はユーザーと接触した後、ユーザーの個人情報を獲得する。サービス提供者は、アンケートを通じて、ユーザーの名前、性別、年齢などのプロフィール情報、ユーザーの生活習慣、ダイエットの動機、ダイエットの邪魔要素などの生活様式情報を獲得する。また、サービス提供者は、ユーザーの状態診断を通じて状態診断情報を獲得する。状態診断は、肥満度診断、体型診断、皮膚診断からなる。サービス提供者は、ユーザーの肥満度診断のために、インボディー(Ｉｎ Ｂｏｄｙ)測定を通じてユーザーのＢＭＩを獲得し、ユーザーの体型診断のために、３次元体型分析を通じて体型分析結果を獲得する。また酸素飽和度測定、皮膚表面検査、弾力度検査を通じて皮膚診断結果を獲得する。
【００２０】
サービス提供者は、獲得した個人情報を情報入力端末２０に入力する。このとき、入力はユーザーが直接実行してもよく、情報入力端末２０で直接アンケートを進行することもできる。また、ダイエット管理サーバー１００は、データ送受信部１１０を通じてユーザー端末１０へ直接アンケートを送信し、ユーザーはそれに応答してアンケート結果をユーザー端末１０に入力して、ダイエット管理サーバー１００のデータ送受信部１１０へ送信することができる。この場合、ユーザー端末１０と情報入力端末２０とは同一端末となる。この場合、１つの端末を通じてユーザー情報の入力、ユーザーの現在状態入力及び変更されたカスタマイズソリューション出力がなされる。
【００２１】
データベース２００は、ダイエット管理サーバー１００と通信可能になるように連結され、ダイエット管理サーバー１００から受信するデータを格納することができる。本発明の一実施形態によれば、データベース２００はソリューションデータが予め格納されている。また、ダイエット管理サーバー１００から受信するユーザーの状態診断データ及び生活様式データを含む個人情報データを格納することができ、身体類型分類データも格納することができる。本発明の実施形態によるデータベース２００の詳細な構成は、以下の図２で説明する。さらに、データベース２００は、ダイエット管理サーバー１００と１つの電算装置内に設置されることもできる。
【００２２】
ダイエット管理サーバー１００は、ユーザー端末１０、情報入力端末２０及びデータベース２００と通信可能であり、情報入力端末２０から受信したユーザー個人情報データを受信してデータベース２００に格納し、ユーザー個人情報データ及びソリューションデータを用いてユーザー別カスタマイズソリューションを生成し、ユーザー端末１０から受信したユーザーの現在状態によって、それに当たるように変更されたカスタマイズソリューションを提供する。ダイエット管理サーバー１００の詳細な構成は、以下の図２で説明する。
【００２３】
本発明の他の実施形態によれば、ダイエット管理システムは、サービス提供者が運営するウェブサーバー(図示せず)をさらに含むことができる。この場合、ウェブサーバーはインターネット網に連結され、ユーザー端末１０、情報入力端末２０及びダイエット管理サーバー１００と通信可能になるように連結される。ウェブサーバーをさらに含む場合、ユーザー端末１０及び情報入力端末２０は、インターネット網を通じてウェブサーバーへデータを送信することができ、ウェブサーバーはこれを受信して、ダイエット管理サーバー１００に提供することができる。ダイエット管理サーバー１００もウェブサーバーへデータを送信して、ウェブサーバーはこれを受信して、インターネット網を通じてユーザー端末１０及び情報入力端末２０へ送信することができる。さらに、ウェブサーバー(図示せず)はダイエット管理サーバー１００と１つの電算装置内に設置されることもできる。
図２は、本発明の一実施形態によるダイエット管理システムを構成するダイエット管理サーバー１００と、これと連結されるデータベース２００の構造を概略的に示した図面である。
【００２４】
図２に示したように、データ送受信部１１０と制御部１２０を含む。
データ送受信部１１０はダイエット管理サーバー１００は、ユーザー端末１０、情報入力端末２０及びデータベースとデータを送受信することができる。
【００２５】
制御部１２０は、サーバーの全般的な作動を制御して、所定の演算を実行することができる。制御部１２０は、状態診断データを用いて、肥満段階及び体型によって前記ユーザーを身体類型別で分類し、身体類型分類データを生成する身体類型分類演算部１２１、生活様式データによって前記ユーザーの生活様式分析結果を生成する生活様式分析部１２２、ユーザーのダイエット目標に合うように、生活様式分析結果またはユーザーの現在状況と状態診断データによってソリューションデータＤＢ２６０を用いて、ユーザー別カスタマイズソリューションを生成するソリューション生成部１２３、及び前記ユーザーの現在状況を受信して前記ユーザーの現在状況に合うように変更されたカスタマイズソリューションを前記ユーザーに送信する個人化サービス提供部１２４から構成される。
【００２６】
データベース２００は、データ送信部１１からデータを受信して、これをそれぞれのＤＢに格納する。本発明によるデータベース２００は、ユーザー個人情報ＤＢ２１０とソリューションデータＤＢ２６０とから構成されるが、ユーザー個人情報ＤＢ２１０は、ユーザーの名前、性別、年齢などの基礎情報データが格納されるプロフィールデータＤＢ２２０、ユーザーの生活習慣、ダイエットの動機、ダイエットの邪魔要素などのデータが格納される生活様式データＤＢ２３０、ユーザーのＢＭＩ、３次元体型分析結果及び皮膚診断結果などのデータが格納される状態診断データＤＢ２４０、並びにユーザーの身体類型分類が格納される身体類型分類データＤＢ２５０を含む。ソリューションデータＤＢ２６０には、食餌、製品、運動、マッサージ、機器項目別に多様なソリューションデータが格納される。
【００２７】
このようなダイエット管理サーバー１００とデータベース２００の具体的な作動に対しては後述する。
【００２８】
図３は、本発明の一実施形態によるダイエット管理システムで、ダイエット管理サーバー１００及びデータベース２００が作動するフローチャートである。図３にはサービス提供者がユーザーから個人情報を獲得する段階は図示しないが、個人情報獲得方法は前述したダイエット管理システムの説明部分に具体的に記載しているので、以下の説明ではこれに対する説明は省略する。図３に示される段階は、個人情報が電算化されて情報入力端末２０に入力された以後の段階である。
【００２９】
３１０段階でダイエット管理サーバー１００は、データ送受信部１１０を通じて情報入力端末２０からユーザーの個人情報データを受信する。前述したように、本発明の実施形態による個人情報データは、状態診断データと生活様式データを含む。ダイエット管理サーバー１００は、受信した個人情報データを、データ送信部１１０を通じてデータベース２００へ送信して、個人情報データＤＢ２１０に格納する。この時、状態診断データは状態診断データＤＢに格納され、生活様式データは生活様式データＤＢに格納される。
【００３０】
その後、ダイエット管理サーバー１００は、３２０段階へ進行し、受信した状態診断データを用いて、肥満段階及び体型によってユーザーを身体類型別で分類して身体類型分類データを生成し、データ送受信部１１０を通じてデータベース２００へ送信して身体類型分類データＤＢに格納する。
【００３１】
図４は、本発明の一実施形態による身体類型分類基準を示した表であり、図５は、図３に示した３２０を構成する詳細段階を示す。図４及び図５を参照してこれに対して説明する。
【００３２】
先ず、図５を参照すれば、５１０段階で、ダイエット管理サーバー１００は、データ送受信部１１０を通じて、データベース２００から、個人情報データＤＢ内の状態診断データＤＢでユーザーの状態診断データを受信する。
【００３３】
５２０段階でダイエット管理サーバー１００の身体類型分類演算部１２１は、ユーザーの状態診断データに含まれたＢＭＩによって肥満段階を分類する。肥満段階はＢＭＩによって、ＢＭＩ２５以上の第１段階、ＢＭＩ２０以上２５未満の第２段階、ＢＭＩ１８以上２０未満の第３段階、及びＢＭＩ１８未満の第４段階で分類される。このような肥満段階分類基準は韓国女性を基準で設定したことで、性別と人種、民族など分類方法によってそれぞれ異なるように適用されることができる。５３０段階でダイエット管理サーバー１００の身体類型分類演算部１２１は、ユーザーの状態診断データに含まれた３次元体型分析結果によって、上体肥満型、腹部肥満型、下体肥満型で体型を分類する。
【００３４】
５４０段階では、前記肥満段階分類と体型分類によってユーザーの身体類型が決定される。これに関して図４を参照すれば、先ず、ＢＭＩ２５以上の第１段階の場合は、詳細体型分類無しにＡ型に統一される。ＢＭＩ２０以上２５未満の第２段階は、上体肥満型、腹部肥満型、下体肥満型によって、Ｂ型、Ｃ型、Ｄ型で決定する。これと同様に、ＢＭＩ１８以上２０未満の第３段階も、上体肥満型、腹部肥満型、下体肥満型によって、Ｅ型、Ｆ型、Ｇ型で決定され、ＢＭＩ１８未満の第４段階も、上体肥満型、腹部肥満型、下体肥満型によって、Ｈ型、Ｉ型、Ｊ型で決定される。
【００３５】
以後、５５０段階でダイエット管理サーバー１００の身体類型分類演算部１２１は、前記類型によって身体類型分類データを生成し、データ送受信部１１０を通じてデータベース２００の個人情報データＤＢ内の身体類型分類データＤＢにこれを格納する。
【００３６】
再び、図３の説明へ戻ると、３３０段階でダイエット管理サーバー１００の生活様式分析部１２２は、受信した生活様式データによって生活様式分析結果を生成する。生活様式分析部１２２は、ユーザーの生活習慣、ダイエットの動機及びダイエットの邪魔要素などを分析する。
【００３７】
ユーザーの生活習慣は、最近の身体症状、好む食べ物及び嫌がる食べ物、好きな運動及び嫌がる運動などを分析し、ダイエットの動機は、ダイエット必要状況及びダイエット理由などを分析し、ダイエットの邪魔要素は、食欲、おやつ攝取回数、会食頻度、飲酒可否などを分析することになり、これは最初にユーザーが応答したアンケートの内容に基づいてなる。
【００３８】
その後、３４０段階でダイエット管理サーバー１００のソリューション生成部１２３は、身体類型分類データによるユーザーのダイエット目標と生活様式分析結果及び状態診断データとによって、前記ソリューションデータＤＢを用いてユーザー別カスタマイズソリューションを生成する。
【００３９】
図６は、図３に示された段階３４０を構成する詳細段階を示し、図６を参照してこれに対して説明する。
【００４０】
６１０段階でダイエット管理サーバー１００は、データ送受信部１１０を通じてデータベース２００の個人情報データＤＢ内の身体類型分類データＤＢでユーザーの身体類型分類データを受信する。
【００４１】
その後、６２０段階で、ユーザー類型によるダイエット目標、生活習慣、皮膚診断結果によって、データベース２００に格納されたソリューションデータＤＢ２６０を検索する。ダイエット目標は３２０段階で決定されたユーザー身体類型によって決定される。
【００４２】
ダイエット目標は、ユーザーの身体類型がＡ、Ｂ、Ｃ、Ｄ型の場合、即ち、ユーザーの肥満段階が第１段階及び第２段階の場合には体重減量であり、Ｅ、Ｆ、Ｇ型の場合、即ち、ユーザーの肥満段階が第３段階の場合には体成分管理であり、Ｈ、Ｉ、Ｊ型の場合、即ち、ユーザーの肥満段階が第４段階の場合には体型管理となる。肥満段階第１段階と第２段階の場合、あらゆる体重減量を目標とするが、１段階の場合より残酷な体重減量を目標とする。
【００４３】
また、生活習慣に関連しては、ユーザーが好む食べ物、運動、及び嫌がる食べ物、運動などを反映するようになる。皮膚診断結果も反映して現在ユーザーに必要なソリューションを検索するようになる。
【００４４】
６３０段階で、ダイエット管理サーバー１００のソリューション生成部１２３は、ソリューションデータＤＢ２６０検索結果に基づいて、食餌、製品、運動、マッサージ、機器項目含むユーザー別カスタマイズソリューションを提供するようになる。
【００４５】
図７は、本発明の一実施形態によるカスタマイズソリューション出力画面の例示を概略的に示している。
【００４６】
図８を参照すれば、出力画面の分類基準フィールドには、ユーザーの身体類型がＢＭＩと体型で分けて出力され、それによるダイエット目標が出力される。また、ダイエットでそれぞれの食餌、製品、運動、マッサージ、機器の占める比重がグラフに図示され、肥満原因、ソリューション説明、ソリューションによる効果がそれぞれ出力される。さらに食餌、製品、運動、マッサージ、機器各項目が出力される。
【００４７】
食餌項目は、ユーザーが摂する食べ物に係ることで、摂する食べ物の種類、熱量、食習慣ガイドなどを提示する。製品項目は、ダイエットのために摂する代用食品などを提示する。運動項目は、ユーザーが好む運動を主として運動過程と運動教育を提示し、マッサージ項目は、皮膚診断結果によって管理部位及び管理方法が提示される。機器項目は、ダイエット目標によって必要な健康補助機器などが提示される。
【００４８】
追加的に、ソリューション生成部１２３は、生活様式データＤＢを検索して、前記生活様式分析結果と類似の生活様式を有する他のユーザーの生活様式データを獲得した後、前記他のユーザーの生活様式データに含まれた他のユーザーのカスタマイズソリューションを参照して、カスタマイズソリューションを生成することも可能である。
【００４９】
再び、図３の説明へ戻ると、３５０段階で、ダイエット管理サーバー１００の個人化サービス提供部１２４は、ユーザーの現在状況を受信して、ユーザーの現在状況に合うように変更されたカスタマイズソリューションを提供する。
【００５０】
ダイエット管理サーバー１００の個人化サービス提供部１２４は、先ず、データ送受信部１１０を通じてユーザー端末１０からユーザーの現在状況を受信する。ユーザーの現在状態は、ユーザーが直接ユーザー端末１０を通じて入力して送信する。その後、ソリューション生成部でユーザーの現在状況を反映してカスタマイズソリューションを変更すれば、データ送受信部１１０を通じて変更されたカスタマイズソリューションを送信する。これによって、ユーザーは自分の現在状況に合うように変更されたカスタマイズソリューションを適時に受信してダイエット效果を高めることができる。
一方、本明細書及び図面に開示された本発明の実施形態は、本発明の記述内容を容易に説明して本発明の理解を助けるために特定例を提示したものであって、本発明の範囲を限定しようとするものではない。ここに開示された実施形態以外にも本発明の技術的思想に基づいた他の変形例が実施できるということは、本発明が属する技術分野で通常の知識を有する者に自明なものである。
【図１】
2014533401.tif 000003
【図２】
2014533401.tif 000004
【図３】
2014533401.tif 000005
【図４】
2014533401.tif 000006
【図５】
2014533401.tif 000007
【図６】
2014533401.tif 000008
【図７】
2014533401.tif 000009
【国際調査報告】
2014533401.tif 000010
2014533401.tif 000011
2014533401.tif 000012
2014533401.tif 000013